(57)【特許請求の範囲】
【請求項１】
ユーザが操作可能なヘッド部を有する歯ブラシにおいて、
長手方向軸線と、上側部と、下側部とを有する細長いハンドルを備え、該ハンドルが、第一の比較的硬い全体としてＳ字形に湾曲した背骨部分と、対向した第二の弾性的に可撓性の全体としてＳ字形の湾曲部分とから成り、該第一の全体としてＳ字形の湾曲部分が、一端にて基部内に伸び且つ他端にて伸長した複数の毛房束を保持する上面を有する平坦なヘッド部分が設けられたネック部分内に伸び、対向したＳ字形の湾曲部分が上方穴と下方穴とを有する細長い８の字状部分を画定する、歯ブラシ。
【請求項２】
請求項１による歯ブラシにおいて、上方穴及び下方穴の断面積が全体として等しい、歯ブラシ。
【請求項３】
請求項１による歯ブラシにおいて、上方穴及び下方穴が全体として楕円形の形状である、歯ブラシ。
【請求項４】
請求項１による歯ブラシにおいて、上方穴及び下方穴が全体として円形の形状である、歯ブラシ。
【請求項５】
請求項１による歯ブラシにおいて、上方穴及び下方穴が全体として三日月形の形状である、歯ブラシ。
【請求項６】
請求項１の歯ブラシにおいて、Ｓ字形の湾曲した背骨部分が４０乃至１１０の範囲のショアＡ硬さを有する、歯ブラシ。
【請求項７】
請求項１の歯ブラシにおいて、比較的弾性的な可撓性のエラストマー的Ｓ字形湾曲部分が約１乃至９４の範囲のショアＡ硬さを有する、歯ブラシ。
【請求項８】
ユーザが操作可能なヘッド部を有する歯ブラシにおいて、
長手方向軸線と、上側部と、下側部とを有する細長いハンドルを備え、該ハンドルが、第一の比較的硬い全体としてＳ字形に湾曲した背骨部分と、対向した第二の弾性的に可撓性の全体としてＳ字形の湾曲部分とから成り、該第一の全体としてＳ字形の湾曲部分が、一端にて基部内に伸び且つ他端にて伸長した複数の毛房束を保持する上面を有する平坦なヘッド部分が設けられたネック部分内に伸び、対向したＳ字形の湾曲部分が上方及び下方部分を有する細長い８の字状部分を画定し、１つの部分が単一の穴を保持し、他方の部分が複数の穴を保持する、歯ブラシ。
【請求項９】
請求項８の歯ブラシにおいて、穴が楕円形の形状であり、その主軸線が歯ブラシの長手方向軸線と全体として整合される、歯ブラシ。
【請求項１０】
請求項８の歯ブラシにおいて、穴が楕円形の形状であり、その主軸線が歯ブラシの長手方向軸線と鋭角な角度にて整合される、歯ブラシ。
【請求項１１】
請求項８の歯ブラシにおいて、穴が全体として円形である、歯ブラシ。
【請求項１２】
請求項８の歯ブラシにおいて、比較的硬い背骨部分が４０乃至１１０の範囲のショアＡ硬さを有する、歯ブラシ。
【請求項１３】
請求項８の歯ブラシにおいて、比較的弾性的な可撓性のエラストマー的部分が約１乃至９４の範囲のショアＡ硬さを有する、歯ブラシ。
【請求項１４】
ユーザが操作可能なヘッド部を有する歯ブラシにおいて、
長手方向軸線と、上側部と、下側部とを有する細長いハンドルを備え、該ハンドルが、第一の比較的硬い全体としてＳ字形に湾曲した背骨部分と、対向した第二の弾性的に可撓性の全体としてＳ字形の湾曲部分とから成り、該第一の全体としてＳ字形の湾曲部分が、一端にて基部内に伸び且つ他端にて複数の毛房束が伸長する上面を有する平坦なヘッド部分が設けられたネック部分内に伸び、対向したＳ字形に湾曲した部分が上方及び下方部分を有する細長い８の字状部分を画定し、該部分の各々が複数の穴を保持する、歯ブラシ。
【請求項１５】
請求項１４の歯ブラシにおいて、穴が楕円形の形状であり、その主軸線が歯ブラシの長手方向軸線と全体として整合される、歯ブラシ。
【請求項１６】
請求項１４の歯ブラシにおいて、穴が楕円形の形状であり、その主要軸線が歯ブラシの長手方向軸線と鋭角な角度にて整合される、歯ブラシ。
【請求項１７】
請求項１４の歯ブラシにおいて、比較的硬い背骨部分が４０乃至１１０の範囲のショアＡ硬さを有する、歯ブラシ。
【請求項１８】
請求項１４の歯ブラシにおいて、比較的弾性的な可撓性のエラストマー的部分が約１乃至９４の範囲のショアＡ硬さを有する、歯ブラシ。
【請求項１９】
歯ブラシのヘッド部を位置決めする方法において、
長手方向軸線と、上側部と、下側部とを有する細長いハンドルを備え、該ハンドルが、第一の比較的硬い全体としてＳ字形に湾曲した背骨部分と、対向した第二の弾性的に可撓性の全体としてＳ字形の湾曲部分とから成り、該第一の全体としてＳ字形の湾曲部分が、基部内に伸びる下端と、伸長した複数の毛房束を保持する上面を有する平坦なヘッド部分が設けられたネック部分内に伸びる上端とを有し、対向したＳ字形の湾曲部分が上方穴と下方穴とを有する細長い８の字状部分を画定する歯ブラシを成形することと、対向した第二の比較的弾性的な可撓性のＳ字形湾曲部分を圧縮すると同時に、上方穴の周りで第一の比較的硬いＳ字形湾曲部分に圧力を加えることで歯ブラシのヘッド部を位置決めすることとを備える、方法。
【請求項２０】
請求項１９による歯ブラシヘッド部を位置決めする方法において、対向した第二の比較的弾性的な可撓性のＳ字形湾曲部分を同時に圧縮せずに、対向した第一の比較的硬いＳ字形の湾曲部分を下方穴の周りで圧縮する、方法。
【発明の詳細な説明】
【０００１】
【発明の分野】
本発明は、歯ブラシ、特に、ハンドルの特定の部分に圧力を加えることにより、そのヘッド部の位置が操作可能な歯ブラシに関する。
【０００２】
【発明の背景】
従来の歯ブラシは、均一な毛房束を備えており、該毛束房の各々は、刷子ヘッド部に対し拘束状態に保持され且つ固着された第一の端部と、自由であって、歯のブラッシングに使用される第二の端部とを有している。色々な毛束の自由端は、ブラッシングすべき表面と接触したとき、毛房の曲がりによって僅かに変形可能であるが、複雑な形状の表面には十分に適合することのできない表面包絡線を提供する。かかる複雑な表面は、歯が全体として上顎及び下顎内の「Ｃ字」形の湾曲部内に位置し、従って、歯の横列の各々が凸状の外方湾曲部及び凹状の内方湾曲部を有する、口内にある。
【０００３】
歯をブラッシングするとき、ユーザは毛房を歯に順応させようとし、このことは、毛房を歯の円弧状の輪郭に順応するように十分に変形させるべく刷子を強く当てがうことで分かる。このようにして、歯に対し刷子を強く当てがうことは、望ましい掃除効果を提供すべく刷子を歯に対し十分に変形させることなく、歯の表面及び歯肉を過度に磨耗させるだけである。
【０００４】
刷子を歯の輪郭に順応させ得るように、毛房を含む刷子ヘッド部とハンドルとの間に可撓性のネック部が配置された歯ブラシは従来技術にて開示されている。かかる可撓性のネック部を有する歯ブラシの例は、米国特許第７５９，４９０号及び米国特許第４，５２０，５２６号に開示された歯ブラシを含む。米国特許第７５９，４９０号のものは、第二の型式の材料で強化することのできる可撓性の弾性材料を硬い刷子ヘッド部とハンドルとの間に介在させることによりネック部の可撓性を生じさせる。米国特許第４，５２０，５２６号のものは、刷子のネック部分の頂部及び底部から材料の一部を除去するか、又は一側部から反対側部まで伸びる楕円形の形状の中空部をネック部に有することの何れかの代替的な形態によりネック部に可撓性を持たせる。かかる可撓性、弾性的な歯ブラシのネック部は、ユーザが過度の力を加えたとき、毛房ヘッド部がハンドルに対して延びるのを許容し、これにより、歯及び歯肉を傷付ける虞れを減少させる。しかし、かかる撓み手段は、第一の場合に、過度の力を加える必要性を無くすため、ブラッシングする口内の表面の特定の円弧部分に対する刷子ヘッド部のプロファイルをユーザが制御することを許容しない。
【０００５】
米国特許第４，３３３，１９９号には、リセス部付きハンドルの上方にてコイル状ばねの上にそのヘッド部が枢動可能に取り付けられ、ヘッド部が歯に当てがわれたときに回転し且つ傾き得るようにされた歯ブラシが開示されている。かかる撓み動作は、刷子ヘッド部がブラッシングされる口内面の円弧状部分に全体として従うことを許容するが、この撓み動作は、ユーザが歯ブラシヘッド部の移動、傾動及び回転動作を直接的に制御することを可能にしない。
【０００６】
国際出願第ＷＯ８９／１００７６号には、刷子ヘッド部を歯の円弧状部分と平行に配置し得るように、刷子ヘッド部とハンドルとの間の角度を変化させることができる歯ブラシが開示されている。国際出願第ＷＯ８９／１００７６号には、ヘッド部に枢動可能に接続されたハンドルを有する歯ブラシが開示されており、この場合、ハンドルは、一対の隔たった、硬い上方側部及び下方側部にて形成され、該側部は、互いに長手方向に動き得るように共に枢動可能に連結されている。これと代替的に、隔たった、硬い上方側部及び下方側部を弾性的な分離層によって接続することができ、このことは、これらの側部が互いに長手方向に動くことを可能にする。歯ブラシヘッド部の位置を正確に制御すべく、歯ブラシの硬い側部の長手方向への動きにより制御された、かかる枢着可能に接続されたハンドル及びヘッド部を使用することは、最良の状態でも難しい。このように、正確に制御し得ないことは、硬さ又は抵抗性を欠く枢動型連結機構がヘッド部を過度に動かす傾向であることに起因する。一方、これと代替的に、弾性層を使用することは、その弾性度に比例してヘッド部の動きを制限することになる。
【０００７】
ヘッド部を歯の円弧状の形態と一致するように位置決めすべくユーザが歯ブラシヘッド部の位置をより正確に制御することができる歯ブラシが当該技術分野にて必要とされている。
【０００８】
【発明の概要】
本発明は、一端にて、平坦化したヘッド部分を有する比較的直線状のネック部内に伸びる比較的硬い、全体として、Ｓ字形に湾曲した長手方向背骨部分にて形成された細長いハンドルを備える歯ブラシであって、この平坦化したヘッド部分が該部分から伸びる複数の毛房束を保持し、全体としてＳ字形に湾曲した長手方向背骨部分には、比較的弾性的な可撓性のエラストマー的材料から成る、全体としてＳ字形の相応する湾曲部分が対向し、その対向したＳ字形の湾曲部分は、上方及び下方穴が横方向に貫通して伸びる、全体として細長の８の字形部分を形成する、歯ブラシを対象とするものである。歯をブラッシングする間、ユーザは、上方の比較的硬いＳ字形に湾曲した背骨部分又は対向した弾性的な可撓性のエラストマー的部分を操作する、すなわち、該部分に圧力を加えると同時に、対向する硬い及び／又はエラストマー的部分を圧縮して、毛房を支持する歯ブラシの面を歯の円弧状の形態に順応するように制御された仕方にて位置決めすることができる。
【０００９】
次に、幾つかの図面の内、同一又は同様の要素を同様の参照符号で表示する。図面、特に、図１を参照すると、歯ブラシ１２が図示されている。図１は、上側部１３と反対側の下側部１５とを有し、長手方向軸線Ａ−Ａの周りの本発明の歯ブラシの斜視図であり、この場合、歯ブラシは、ネック部１６と一体であり且つ該ネック部１６から伸びるヘッド部１４を有し、該ネック部はハンドル１８と一体であり且つ該ハンドルから伸び、該ハンドルは基部２４と一体で且つ該基部から伸びている。ヘッド部１４は、その上側部１３に面２０を有している。該面２０から長手方向軸線Ａ−Ａに対して直角に横列の毛房束２２が伸びている。
【００１０】
本発明によれば、ヘッド部１４は、図１Ａに参照符号Ｖで表示した垂直平面内でハンドル１８に対し撓み可能であるが、図１に参照符号Ｈで示した水平面内でハンドルに対し実質的に硬い。かかる可撓性は、ハンドル１８が弾性率が著しく相違する少なくとも２つの材料部分に形成された多数の部分から成ることに起因する。その１つの部分は、比較的硬いプラスチックにて形成され、他方の部分は弾性的な可撓性のエラストマーにて形成される。比較的硬いプラスチック部分は、歯ブラシのネック部からその幅の広い基部２４まで伸びる全体としてＳ字形に湾曲した長手方向背骨部分２６を備えている。この弾性的に可撓性のエラストマー的部分は、また、全体としてＳ字形湾曲部分２８の全体形状をしており、全体としてＳ字形に湾曲した長手方向背骨部分２６に対し対向した関係にあり、全体としてＳ字形に湾曲した硬い長手方向背骨部分の開口部は、弾性的に可撓性のエラストマー的部分２８の全体としてＳ字形の湾曲部分により閉じられている。Ｓ字形に湾曲した硬い長手方向背骨部分２６及び対向した全体としてＳ字形に湾曲した弾性的に可撓性のエラストマー的部分２８は、共に全体として細長い８の字状の形状を形成する。全体として、８の字状の形状のハンドルを形成する、相互に係止するＳ字状の湾曲部は、ネック部１６により近接した上方穴３０と、基部２４により近接した下方穴３２という２つの穴を画定し、その穴の双方は断面積が略等しいことが好ましい。
【００１１】
穴３０、３２の断面積は、次のようにするのに十分である、すなわち、ユーザが上方穴３０の周りの反対側の比較的弾性的な可撓性部分２８又は下方穴３２の周りの反対側の比較的硬い背骨部分に対して加える力よりも大きい力を上方穴３０の周りの比較的硬い背骨部分２６に加えると、接続した毛房支持ヘッド部１４が歯ブラシの頂側部１３の方向の位置まで撓むのに十分である。ユーザによるこの操作に関係した力は、長手方向軸線Ａ−Ａに対する鋭角な角度の対向した矢印で図１に示してある。これに相応して、ユーザは、上方穴３０の周りの相応する比較的硬い背骨部分２６に対して加える力よりも大きい力を上方穴３０の周りで比較的弾性の可撓性部分２８に適当な角度にて加え、毛房支持ヘッド部１４が反対方向、すなわち歯ブラシの頂側部１３から離れる方向の位置に撓むようにすることができる。
【００１２】
ハンドルを形成する相互係止するＳ字形湾曲部分は、図１に長手方向軸線Ａ−Ａの周りで実質的に等間隔に隔てられたものとして図示されている。しかし、本発明の代替的な実施の形態において、相互に係止するＳ字形の湾曲部分は、図２の長手方向軸線Ａ−Ａのより前方に形成し又は図３の長手方向軸線Ａ−Ａのより後方に形成することができる。更に、図１において、穴３０、３２は、より長い長手方向軸線に対して比較的狭い横方向軸線を有する全体として楕円形であり、このより長い長手方向軸線は歯ブラシの長手方向軸線Ａ−Ａと整合させ又は該長手方向軸線Ａ−Ａに対し鋭角な角度にて形成することができる。これらの穴は、図２に図示するように、その長手方向軸線の長さに対して横軸方向長さが遥かに長いより丸くしたものとすることができる。これと代替的に、穴３０、３２は、図８に図示するように、三日月の形状としてもよい。
【００１３】
本発明に従って、ヘッド部１４、ネック部１６、Ｓ字形に湾曲した背骨部分２６及び基部２４は、比較的硬いポリプロピレンにて又は以下のような同様に比較的硬い構造を有するその他のプラスチックにて一体の加工物として成形される、すなわち、ポリアミドすなわちナイロン、又はポリエチレンテレフタル酸塩（ＰＥＴ）のようなポリエステル又は共ポリエステル、又は酸改質された（ＰＣＴＡ）であるポリシクロヘキシレンジメチレンテレフタル酸塩、又はセルロース系プラスチック、或いはスチレンアクリロニトリル（ＳＡＮ）又はアクリロニトリルブタジエンスチレン（ＡＢＳ）である。ポリプロピレン又はその他の硬いプラスチックは、ショアＡ硬さの範囲が好ましくは、４０乃至１１０、より好ましくは、６０乃至１１０、最も好ましくは、８０乃至１１０である。適当なポリプロピレンは、テキサス州７５６０３、ロングビューのハンツマン・コーポレーション（Ｈｕｎｔｓｍａｎ  Ｃｏｒｐｏｒａｔｉｏｎ）からハンツマンポリプロピレンＰ４Ｇ３Ｚ−０３９という商標名で販売されているものである。
【００１４】
比較的弾性的に可撓性のエラストマー的Ｓ字形湾曲部分２８は、多岐に亙るエラストマー的材料、特に、熱可塑性エラストマー（ＴＰＥ）にて成形することができる。比較的弾性的な可撓性のＳ字形に湾曲したエラストマー的部分２８用に許容可能なＴＰＥ材料は、スチレンブタジエンスチレン、スチレンイソプレンスチレンのようなスチレンエチレン／ブチレンスチレン（ＳＥＢＳ）型スチレンブロック共重合体、関係する共重合体、及び熱可塑性ポリウレタン（ＴＰＵ）、又は米国特許第５，３９３，７９６号に記載されたサントプレン（Ｓａｎｔｏｐｒｅｎｅ）（商標名）として入手可能な、ＥＰＤＭ（エチレンプロピレンジエンモノマー）とポリプロピレンの混合体から成る熱可塑性硬化ゴム（ＴＰＶ）、又はポリプロピレン及び天然ゴムの混合体から成る別のＴＰＶであるビラン（Ｖｙｒａｍ）（商標名）を含む。サントプレン及びビランの双方は、オハイオ州４４３１１、アクロンのアドバンスド・エラストマー・システムズ（Ａｄｖａｎｃｅｄ  Ｅｌａｓｔｏｍｅｒ  Ｓｙｓｔｅｍｓ）ＬＰにより販売されているエラストマーである。好ましい別のＴＰＥは、イリノイ州６００１３、カレーのジーエルエス・コーポレーション（ＧＬＳ  Ｃｏｒｐ．）が販売するダイナフレックス（Ｄｙｎａｆｌｅｘ）Ｇ６７１３（商標名）である。上記及びその他の適当なエラストマーは、典型的に、ショアＡ硬さが約１乃至９４、好ましくは、約１５乃至６０、最も好ましくは、約１５乃至４０である。
【００１５】
弾性的に可撓性のエラストマー的材料は、図４の断面図にてエラストマー的オーバ成形領域として図示したハンドル１８の周りでオーバ成形することができる。弾性的に可撓性のエラストマー的なＳ字形に湾曲した部分は、全体として、長いＳ字形の湾曲した比較的硬い背骨部分２６により図示した断面にて分離した領域３８、４０として図４に図示されている。比較的硬い背骨部分２６及び弾性的に可撓性のエラストマー的なＳ字形の湾曲部分、領域３８、４０の双方の可撓性の程度は、その厚さを変更することにより更に制御することができる、すなわち、可撓性を加減することができる。
【００１６】
歯ブラシの比較的硬い構成要素、すなわち、歯ブラシヘッド部１４に実質的に透明な外観が望まれるならば、ネック部１６、比較的硬い全体としてＳ字形に湾曲した背骨部分２６及び基部２４は、ポリエチレンテレフタレートのようなポリエステル、又はＰＣＴＡポリエステル又はＳＡＮのような共ポリエステル、又はアセチルセルロースプロピオン酸塩（ＣＡＰ）のようなセルロース系プラスチックで形成することができる。歯ブラシの弾性的に可撓性のエラストマー的構成要素、すなわち、弾性的に可撓性のＳ字形に湾曲したエラストマー的部分２８に対し実質的に透明な外観が望まれるならば、特定のＴＰＥ又はＴＰＵＳ或いはエチレン酢酸ビニル（ＥＶＡ）材料を使用することができる。好ましい実質的に透明なＴＰＥは、ロードアイランド州０２８６１のパオチケットのテクノール・アペックス・カンパニー（Ｔｅｋｎｏｒ  Ａｐｅｘ  Ｃｏｍｐａｎｙ）から９６−Ｅ０８０７Ａ−０３ＮＴ  ＷＡＴ  ＣＬＲという商標名で販売されているものが入手可能である。
【００１７】
本発明の代替的な実施は、全体として８の字状の形状のハンドル１８の上方部分及び下方部分内に上述した２つの穴を含むのみならず、各部分内に単一の穴又は複数の穴の群、すなわち、３、４、５又は６つの穴を含むこともできる。ハンドル１８に単一の穴又はかかる穴の群の何れかが存在する場合、比較的硬い背骨部分が各穴又は穴の群の第一の側部を形成し、比較的弾性的な可撓性のエラストマーは各穴又は穴の群の第二の側部を形成する。これらの穴は、全体として三日月形、全体として楕円形又は全体として円形とし、その長手方向軸線が歯ブラシの長手方軸線Ａ−Ａと全体として整合され又は該長手方向軸線に対して鋭角な角度となるようにすることができる。かかる多数の穴は、全て歯ブラシの長手方向軸線の周りに実質的に配置し又はその一側部に配置することができる。かかる代替的な実施の形態の一例が図６、図７及び図９に図示されている。
【００１８】
全体として二重の構成要素の構造とした幅の広い基部を含む本発明の１つの実施の形態は、典型的な歯ブラシの重量を著しく増すことになるため、基部は更なる重量を最小限にし得るよう中空とすることができる。図５に図示するように、かかる中空の基部は、弾性的に可撓性のエラストマー的材料から成る弾性的に可撓性のエラストマー的材料３６により取り巻かれた射出成形した内部の比較的硬いポリプロピレン殻体３４にて形成することができる。これと代替的に、図１０に図示するように、本発明は、典型的な狭小な歯ブラシの基部を備え、増分的重量を軽減するようにしてもよい。
【００１９】
本発明の多数部分の構成要素から成る歯ブラシは、当該技術分野で周知である従来の射出成形技術により成形することができる。例えば、本発明に従って、硬い毛房植え込みヘッド部１４と、ネック部１６と、比較的硬いハンドル背骨部分２６と、基部２４とから成るフレーム又は骨組み体を射出成形する第一のステップの後に、第二の射出ステップにより弾性的に可撓性のエラストマー的材料部分をハンドル１８の周りにオーバ成形することができる。この第二の射出成形ステップにおいて、そのハンドル１８の周りに弾性的に可撓性のエラストマー的材料が射出された第二の金型内にフレームが配置される。より具体的には、フレームは、比較的硬い背骨部分２６の周りで基部２４からネック部１６の基部まで伸びている。
【００２０】
本発明の歯ブラシの２ステップ射出成形法は、２構成要素金型を使用することで促進することができる。２つの構成要素から成る金型は、ベルギー、イゼゲムのマシーンズ・ボウチェリ（Ｍａｃｈｉｎｅｓ  Ｂｏｕｃｈｅｒｉｅ）Ｎ．Ｖ．、ドイツのトッドナウのアントン・ザーランスキー・ＧｍｂＨ・アンド・カンパニー（Ａｎｔｏｎ  Ｚａｈｏｒａｎｓｋｙ  ＧｍｂＨ  ＆  Ｃｏｍｐａｎｙ）、又はドイツ、バーリンゲンのブラウン・ホルマンバウ（Ｂｒａｕｎ  Ｆｏｒｍｅｎｂａｕ）ＧｍｂＨを含む多数の販売業者から入手可能である。これら金型は、オーストリア、シュアルツベルグのエンゲル・フェルトリエベゲルシャフト（Ｅｎｇｅｌ  Ｖｅｒｔｒｉｅｂｓｇｅｓｌｌｓｃｈａｆｔ）ｍｂＨ又はスイス、ナフェルスのネスタル・マシネン（Ｎｅｔｓｔａｌ−Ｍａｓｃｈｉｎｅｎ）ＡＧから入手可能な３００トンの２構成要素射出成形機械を含む機械のような、２ステップ射出工程を具体化する典型的な射出成形機械に取り付けることができる。
【００２１】
歯ブラシの毛房は、典型的なステープル技術又は米国特許第４，６３５，３１３号、米国特許第４，６３７，６６０号、米国特許第４，９５４，３０５号、米国特許第５，０４５，２６７号、米国特許第５，６０９，８９０号、米国特許第５，３９０，９８４号、米国特許第５，５３３，７９１号、及び米国特許第５，８２３，６３３号に開示されたような、より近代的な非ステープル技術を使用して歯ブラシの面２０に植え込むことができる。かかる非ステープル技術は、毛房束２２及び歯ブラシヘッド部１４の双方を加熱することにより毛房束２２を歯ブラシヘッド部１４内に溶融させ、その後、毛房束及び歯ブラシヘッド部の双方を溶融過程に導入するか、又は歯ブラシの材料を導入する前に毛房束２２の端部を射出成形金型内に予め配置して、その後、毛房束２２の端部の周りに歯ブラシ材料を射出し、毛房束２２を歯ブラシヘッド部１４内の所定の位置に係止する工程を含む。
【図面の簡単な説明】
【図１】  任意の湾曲した毛房パターンと、ハンドルの周りにあり且つネック部の基部まで伸び、Ｓ字形に湾曲した比較的硬い背骨部分が見えるように、十分に透明なエラストマーと、幅の広い基部とを有する、本発明の歯ブラシの第一の実施の形態を示す、長手方向斜視図である。
１Ａは、垂直面及び水平面が追加され、垂直面が歯ブラシの面に対して垂直であり且つ長手方向軸線Ａ−Ａを貫通する、図１の歯ブラシの斜視図である。
【図２】  典型的に平坦な毛房パターンと、幅の広い基部とを有する、本発明の歯ブラシの第二の実施の形態を示す、断面側面図である。
【図３】  典型的に平坦な毛房パターンと、幅の広い基部とを有する、本発明の歯ブラシの第三の実施の形態を示す、断面側面図である。
【図４】  典型的に平坦な毛房パターンと、幅の広い基部とを有する、本発明の歯ブラシの第四の実施の形態を示す、断面側面図である。
【図５】  任意の毛房パターンにて、幅の広い基部からそのヘッド部に伸びる状態を示す、図１の歯ブラシの斜視図である。
【図６】  典型的に平坦な毛房パターンと、幅の広い基部とを有する、本発明の歯ブラシの第五の実施の形態を示す、断面側面図である。
【図７】  典型的に平坦な毛房パターンと、幅の広い基部とを有する、本発明の歯ブラシの第六の実施の形態を示す、断面側面図である。
【図８】  典型的に平坦な毛房パターンと、幅の広い基部とを有する、本発明の歯ブラシの第七の実施の形態を示す、断面側面図である。
【図９】  典型的に平坦な毛房パターンと、幅の広い基部とを有する、本発明の歯ブラシの第八の実施の形態を示す、断面側面図である。
【図１０】  典型的に平坦な毛房パターンと、典型的に狭小な歯ブラシ基部とを有する、本発明の歯ブラシの第九の実施の形態を示す、断面側面図である。
【図１】
0004907769.tif 000002
【図１Ａ】
0004907769.tif 000003
【図２】
0004907769.tif 000004
【図３】
0004907769.tif 000005
【図４】
0004907769.tif 000006
【図５】
0004907769.tif 000007
【図６】
0004907769.tif 000008
【図７】
0004907769.tif 000009
【図８】
0004907769.tif 000010
【図９】
0004907769.tif 000011
【図１０】
0004907769.tif 000012